(57)【特許請求の範囲】
【請求項１】
上側取付金具と筒状の下側取付金具とがゴム状弾性体からなる防振基体により連結され、前記防振基体と下側取付金具側のダイヤフラムとの間に形成された液室を主液室と副液室とに仕切る仕切体が設けられた液封入式防振装置であって、
前記下側取付金具のうち、前記仕切体を内挿する筒状胴金具が、上下方向で２分割され、両分割金具の対接部分に半径方向内側に折曲された接合フランジが形成され、該接合フランジが互いに接合された液封入式防振装置。
【請求項２】
前記接合フランジが溶接により接合された請求項１記載の液封入式防振装置。
【請求項３】
前記接合フランジがかしめ固定により接合された請求項１記載の液封入式防振装置。
【請求項４】
前記接合フランジよりも上側が前記防振基体の本体ゴム部を構成し、前記接合フランジ部よりも下側が液室の周壁を形成し、前記仕切体の挿入部となる液室ゴム部を構成するようにした請求項１、２又は３記載の液封入式防振装置。
【請求項５】
前記接合フランジの下側液室ゴム部に前記仕切体が当接された請求項４記載の液封入式防振装置。
【請求項６】
前記仕切体に、主液室と副液室とを連通する２つのオリフィスが形成された請求項１〜５のいずれかに記載の液封入式防振装置。
【発明の詳細な説明】
【０００１】
【発明の属する技術分野】
本発明は、主として自動車エンジン等の振動発生体を支承するために使用される液封入式防振装置に関するものである。
【０００２】
【従来技術】
自動車エンジン等の振動発生体の振動を車体側に伝達しないように支承するエンジンマウント等の液封入式防振装置としては、エンジン側に取り付けられる上側取付金具と、車体側に取り付けられる筒状の下側取付金具と、これら両取付金具を連結するゴム状弾性体からなる防振基体と、防振基体と下側取付金具側のダイヤフラムとの間に形成された液室を主液室と副液室とに仕切る仕切体と、
この仕切体に主液室と副液室とを連通するよう形成されたオリフィスとを備え、このオリフィスによる両液室の液流動効果により振動減衰機能と、防振基体による振動絶縁機能とを発揮させるようにしたものが知られている。
【０００３】
上記液封入式防振装置の下側取付金具は、上側と下側が拡開され中間胴部が絞り成形された筒状胴金具と、その下側の有底筒状金具とがかしめ締結された形態となっており、筒状胴金具の最小径部である胴部に内挿された仕切体は、その上端が防振基体の液室側周面に当接され、また、下端が筒状金具のかしめ締結部にダイヤフラムと共に締結されて高さ方向の位置決めがなされている。
【０００４】
【発明が解決しようとする課題】
ところで、上記下側取付金具の筒状胴金具は、上下端が拡開され中間胴部が絞り成形された筒状のものであることから、その絞り高さには自ずと限界があり、ひいては仕切体に形成されるオリフィスの寸法も制限され、振動減衰特性にも影響を与えてしまう。また、筒状胴金具の絞り成形金型も高価になりがちである。
【０００５】
【課題を解決するための手段】
本発明者らは、上記に課題に着目し、筒状の下側取付金具の構造を見直し検討した結果、下側取付金具のうち仕切体を内挿する筒状胴金具を上下方向で２分割構造にすれば、各分割金具を別個に絞り成形すればよくなり、絞り高さ、板厚、並びに材質についても自由にかつ安価に設定することができることを見出した。
【０００６】
また、各分割金具の対接部分を半径方向内側に折曲して接合フランジを形成し、この接合フランジを互いに接合するようにすれば、接合も容易に行えることになる。分割金具の接合手段は、特に限定されず、溶接又はかしめ固定が例示できる。
【０００７】
接合フランジの配置は、防振基体の高さ方向において、適宜設定できるが、接合フランジよりも上側を防振基体の本体ゴム部とし、接合フランジよりも下側を液室の周壁を形成し仕切体の挿入部となる液室ゴム部とするように構成することが好適である。さらに、接合フランジの下側液室ゴム部に仕切体を当接するようにすれば、本体ゴム部に仕切体の圧接による圧縮代をとる必要がなく、仕切体が当接する液室Ｒ部の歪を低減することができ、かつ仕切体の位置合わせ、固定が容易でかつ安定して確保できる。
【０００８】
この場合の仕切体の構造及び材質については特に限定されず、材質としては金属又は樹脂のいずれをも採用可能であり、また、１ピース構造、上下分割構造のいずれを採用してもよく、さらに、仕切体に形成するオリフィスの数も単数又は複数（例えば２個）のいずれであってもよい。例えば、外周部に第１のオリフィスが形成されたアルミ鋳物製の本体の中央部分に第２のダイヤフラムを接着し、この第２のダイヤフラムとの協働により第２のオリフィスを形成した仕切体が挙げられる。
【０００９】
【発明の実施の形態】
［第１の実施の形態］
図１は液封入式防振装置の断面図、図２は仕切体の斜視図である。本実施の形態における液封入式防振装置１は、エンジンなどの振動発生体側に取り付けられる上側取付金具２と、車体側に取り付けられる下側取付金具３と、これら両取付金具２、３を互いに連結するゴム状弾性体からなる防振基体４と、この防振基体４に対向して下側取付金具３側に配置され、防振基体４との間で液室５を構成する第１のダイヤフラム６と、液室５を主液室５ａと副液室５ｂとに２分する仕切体７と、仕切体７に形成された２つのオリフィス８，９とを備え、この２つのオリフィス８、９による異なる周波数域の振動減衰機能と、防振基体４による振動絶縁機能とを発揮するようになっている。
【００１０】
上側取付金具２は、平板状に形成され、その中央に上方へ突出してエンジン等を支承する取付ボルト１０が固定されている。また、上側取付金具２の上面には、大変位を吸収するために、これよりも側方に張り出す断面つ字形のストッパ金具１１（スタビライザー金具）の基端部がビス１２により位置決め固定されている。
【００１１】
下側取付金具３は、上端に拡開した外フランジ１３ａを有し、底部に車体側に止着する取付ボルト１５が固定された有底筒状金具１３と、その外フランジ１３ａに下端部が外側から締結される筒状胴金具１４とから構成されている。
【００１２】
筒状胴金具１４は、その最小径部である胴部で上下方向で２分割され、上側の分割金具１６と、下側の分割金具１７とから構成され、両者の対接部分に半径方向内側に折曲された接合フランジ部１８、１９が夫々形成され、この接合フランジ部１８、１９が互いに溶接されている。
【００１３】
上側の分割金具１６の上端は、外側にテーパ状に拡開されると共に、その拡開部１６ａの上端の一部に、ストッパ金具１１の先端と対向するストッパフランジ２０が形成されている。
【００１４】
下側の分割金具１７の下端部には、締結フランジ１７ａが拡開され、この締結フランジ１７ａと有底筒状金具１３の外フランジ１３ａとの間に、第１のダイヤフラム６と、仕切体７の下側仕切部材３１の外周部を挟持するようになっている。締結フランジ１７ａの先端には締結部２３が延設されており、この締結部２３は、その内部に有底筒状金具１３の外フランジ１３ａを内挿して、外側から囲むようにかしめ締結されることにより、断面コ字形の形状となっている。
【００１５】
各接合フランジ１８、１９は、分割金具１６、１７の端部から内方へほぼ直角に折り曲げられており、その内端突出長さは、外周側の第１のオリフィス８の断面幅の長さとほぼ同じ長さに設定され、仕切体７の上方向への位置ずれを阻止する補強金具の役割も担っている。
【００１６】
これらの分割金具１６、１７は、いずれも絞り成形により、胴部分を成形し、プレス成形などにより接合フランジ１８、１９を折曲成形して、両者を溶接固定して筒状胴金具１４を完成する。いずれの分割金具１６、１７も、その要求特性及び搭載高さに応じて適宜寸法を選定すればよい。
【００１７】
防振基体４は、ゴム状弾性体が傘状に形成されて、上側取付金具２と下側取付金具３とに加硫接着されている。詳しくは、上側取付金具２の下面と筒状胴金具１４の内面との間にゴム状弾性体が加硫接着され、さらに接合フランジ１８、１９、下側の分割金具１７の内面をも含む範囲で薄膜のゴム状弾性体が加硫接着されている。そして、接合フランジ１８、１９よりも上側ゴム状弾性体が本体ゴム部を構成し、接合フランジ１８、１９よりも下側ゴム状弾性体が仕切体７を内挿する液室ゴム部２４を構成している。この接合フランジ１８，１９の下側の薄膜ゴム部に仕切体７の外周上面が当接され、上方向の位置決めがなされている。
【００１８】
さらに、ゴム状弾性体は、筒状胴金具１６のストッパフランジ２０を囲み、ストッパ金具１１の先端内面に対向する位置まで延設され、この延設部が大変位吸収用ストッパ部２５とされている。このストッパ部２５には、ストッパフランジ２０及びストッパ金具１１の間に補強金具２６が埋設介在されている。
【００１９】
第１のダイヤフラム６は、可撓性のゴム状弾性膜を有し、その外周部に環状のダイヤフラム金具２８の内端が埋設一体化され、この金具２８が有底筒状金具１３の外フランジ１３ａに載置されている。この第１のダイヤフラム６、防振基体４の下面部及びその液室ゴム部２４で囲まれた空間が液室５とされ、この液室５を上下に区画するように仕切体７が配置されている。
【００２０】
仕切体７は、図１及び図２のごとく、上側仕切部材３０、下側仕切部材３１、及びゴム状部材３２の３部材から構成され、下側仕切部材３１の外周端部が半径方向外側に延設されて、その延設部３１ａが下側取付金具３の締結部１６にかしめ固定される一方、上側仕切部材３０の上端外周縁部が接合フランジ１８、１９の下側ゴム部に押圧され、仕切体７の位置決めがなされている。
【００２１】
上側仕切部材３０は、アルミニウム製の環状モールド成形品であって、その周縁側面部に開放された断面コ字形の第１のオリフィス溝３３が略周方向に形成され、その周壁３７及び天壁３８並びにゴム部材３２の周壁３９により、断面下開放コ字形の第２のオリフィス溝４０が形成されている。
【００２２】
第１のオリフィス溝３３よりも内側にこの第１のオリフィス溝３３と防振基体４の液室ゴム部２４の内周壁とで囲まれた空間が第１のオリフィス８とされている。第１のオリフィス溝３３には、その上端壁部に主液室側出入口３４が形成され、また、下端壁部に副液室側に連通する連通孔３５が形成されており、これら主液室側出入口３４と連通孔３５との短絡を防止する仕切縦壁（図示略）が第１のオリフィス溝３３を閉塞するように形成されている。
【００２３】
ゴム状部材３２は、ゴム又は樹脂エラストマーにより、上側仕切板部材３０との間で第２のオリフィス溝４０を形成する環状の周壁３９と、この周壁３９の内方側において主液室側に円弧凹状に形成された可撓薄膜状の第２のダイヤフラム４１とが一体的に加硫成形されたもので、その周壁３９の上端外周部が上側仕切部材３０の天壁３８の内面に加硫接着されている。
【００２４】
上側仕切部材３０及びゴム部材３２の周壁の下端部は下側仕切部材３１に圧接されて第２のオリフィス溝４０が閉塞されることにより、その空間部が第２のオリフィス９とされている。第２のオリフィス９は、ゴム部材３２の周壁３９に形成された開口４２により、第２のダイヤフラム４１と下側仕切部材３１とで囲まれた第２の副液室５ｃに連通され、また、下側仕切部材３１に形成された開口４３により第１の副液室５ｂと連通されている。なお、第２のオリフィス溝４０には、周壁３９の第２の副液室側開口４２と第１の副液室側開口４３とが短絡するのを防止するゴム状の縦壁（図示略）が設けられている。
【００２５】
下側仕切部材３１は、金属製の円板状の平板であって、上側仕切部材３０の内方側においてゴム状部材３２の第２のオリフィス溝４０を下側から閉塞する機能を有すると共に、その外周部に上側仕切部材３０（第１オリフィス溝３３の下端壁部）の下面に当接してこれを上方へ押圧し得るように成形されており、その外周部には、第１のオリフィス溝３３の連通孔３５に連通して第１の副液室５ｂに開口する開口４４が形成されている。そして、下側仕切部材３１の外周側が延設されて下側取付金具３の締結部２３にかしめ固定されている。
【００２６】
上記液封入式防振装置１は、分割金具１６、１７が溶接固定されてなる筒状胴金具１４と上側取付金具２とを防振基体４により加硫接着して成形したアセンブリを、液中において、筒状胴金具１４の下方側開口を上向きにセットして、内部の空気を排除した状態で、ゴム状部材３２が加硫接着された上側仕切部材３０を液室ゴム部２４に沿って上端外周縁が接合フランジ１８、１９の下側ゴム部に到達するまで圧入する。その上から、下側仕切部材３１と第１のダイヤフラム６を締結部２３に圧入又は挿入し、これらを大気中に取り出して残液調整を行った後、締結部２３に有底筒状金具１３のフランジ１３ａを嵌合し、これらをかしめ固定すれば、組立が完了する。
【００２７】
上記液封入式防振装置１において、仕切体７を内挿する筒状胴金具１４は、上下２分割構造であるので、各分割金具１６、１７を別個に絞り成形すればよくなり、絞り高さ、板厚、並びに材質についても自由に設定でき、かつ部品の共通化により安価に設定することができる。また、接合フランジ１８、１９の薄膜の下側液室ゴム部に仕切体７を当接させているので、防振基体４の本体ゴム部に仕切体７の圧接による圧縮代をとる必要がなく、仕切体７が当接する外周縁の液室Ｒ部の歪を低減することができ、かつ仕切体７の位置合わせや固定も容易かつ安定して行えることになる。
【００２８】
［第２の実施の形態］
図３は第２の実施の形態を示す防振装置の筒状金具を示す断面図である。図示のごとく、本実施の形態では、筒状金具１４の分割金具１６、１７の接合手段として、両者のかしめ固定方式を採用したものである。
【００２９】
すなわち、本実施形態では、下側接合フランジ１９の内端を上方に折曲形成し、その折曲部４６により上側分割金具１６の接合フランジ１８を挟み込むようにしてかしめ固定するようにしたもので、第１の実施形態と同様に、各分割体１６、１７の寸法は、要求特性、搭載高さに応じて適宜選定でき、部品の共通化によるコストダウンが可能となる。その他の構成及び作用は上記第１の実施形態と同様である。
【００３０】
【発明の効果】
以上の説明から明らかな通り、本発明によると、防振基体により連結される下側取付金具のうち、仕切体を内挿する筒状金具を上下方向で２分割構造とし、各分割金具を別個に絞り成形できるようになり、その絞り高さ、板厚及び材質も自由に設定でき、かつ各分割金具の対接部分を半径方向内側に折曲して接合フランジ部を形成したので、その接合も容易に行える。
【図面の簡単な説明】
【図１】本発明の第１の実施形態を示す液封入式防振装置の断面図
【図２】同じくその仕切体の斜視図
【図３】第２の実施の形態を示す筒状金具の断面図
【符号の説明】
１  液封入式防振装置
２  上側取付金具
３  下側取付金具
４  防振基体
５  液室
５ａ  主液室
５ｂ  副液室
６  第１のダイヤフラム
７  仕切体
１３  有底筒状金具
１４  筒状胴金具
１６  上側分割金具
１７  下側分割金具
１８、１９  接合フランジ
【図１】
0004173607.tif 000002
【図２】
0004173607.tif 000003
【図３】
0004173607.tif 000004